(57)【特許請求の範囲】
【請求項１】
操作部と、操作部のセット操作に連動して移動する吸盤と、該吸盤と共動してスイッチ機構を開閉するカードと、該移動した吸盤を吸着保持する被吸着体と、吸盤が被吸着体から離れる方向に吸盤を付勢する復帰ばねと、スイッチ機構が電気的に接続される一対の端子と、操作部のセット操作に連動して回動しカードを移動させるアームとを備え、操作部によるセット解除操作時には、吸盤の被吸着体への吸着力と復帰ばねのばね力とのバランスにより吸盤が被吸着体から離れるまでに遅れ時間があるようにし、操作部のセット解除操作時に上記一対の端子間に通電手段を介して接続される発光素子と、発光素子が実装されるプリント配線板とを備え、操作部は、発光素子の光を外部に放射させる手段を有し且つ後面側においてアームの動作空間以外の空間にプリント配線板が圧接する圧入部を有し、通電手段は、板状の導電性部材を折曲した板ばねよりなり、該板ばねは、プリント配線板に固定されて発光素子に接続される固定端部と、該固定端部と他端部との間に形成され操作部のセット解除操作時に上記端子の一方に接触する通電部とを有し、該通電部は、上記端子の一方に対向する側の面が滑らかな凸の曲面状になるように折曲され、操作部は、上記板ばねの他端部を位置決めする位置決め用リブが形成されて成ることを特徴とする遅れスイッチ。
【請求項２】
前記操作部は、前記アームを押圧するアーム押圧部が一体的に形成されて成ることを特徴とする請求項１記載の遅れスイッチ。
【発明の詳細な説明】
【０００１】
【発明の属する技術分野】
本発明は、負荷を遅延動作させる遅れスイッチに関するものである。
【０００２】
【従来の技術】
この種の遅れスイッチは、例えばトイレの換気扇及び照明負荷の操作に用いるものが知られている（特開昭６１−５５８２５号公報参照）。この従来の遅れスイッチは、操作部たるハンドルの操作で換気扇と照明負荷とを夫々オンし、次の操作ハンドルの操作で照明負荷をオフし、換気扇を一定時間後にオフする制御機能を持つものである。
【０００３】
【発明が解決しようとする課題】
ところで、上記従来構成のものでは、上記一定時間を決める遅延ユニットの構造が複雑で製造コストが高い、ハンドルの操作に遅延ユニットのギアが連動するので操作感触が悪い、遅延ユニットの遅延機能による各種騒音が生じる、等の問題があった。
【０００４】
本発明は上記事由に鑑みて為されたものであり、その目的は、低コストで遅延動作の信頼性が高く騒音が小さな遅れスイッチを提供することにある。
【０００５】
【課題を解決するための手段】
請求項１の発明は、上記目的を達成するために、操作部と、操作部のセット操作に連動して移動する吸盤と、該吸盤と共動してスイッチ機構を開閉するカードと、該移動した吸盤を吸着保持する被吸着体と、吸盤が被吸着体から離れる方向に吸盤を付勢する復帰ばねと、スイッチ機構が電気的に接続される端子と、操作部のセット動作に連動して回動しカードを移動させるアームとを備え、操作部によるセット解除操作時には、吸盤の被吸着体への吸着力と復帰ばねのばね力とのバランスにより吸盤が被吸着体から離れるまでに遅れ時間があることを特徴とするのであって、セット操作による力をアームを介してカードに伝達でき、カードを安定して駆動することができ、しかも、吸盤の被吸着体への吸着力と復帰ばねのばね力とのバランスにより遅れ時間が決まるから、従来のようなギアが不要となり、従来の遅延ユニットを有する遅れスイッチに比べて構成が簡単で信頼性が高く、低コスト化が図れるとともに、騒音が小さくなる。また、従来のようなギアが必要ないので、操作部の操作がスムーズになる。
【０００８】
また、請求項１の発明は、操作部のセット解除操作時に上記一対の端子間に通電手段を介して接続される発光素子と、発光素子が実装されるプリント配線板とを備え、操作部は、発光素子の光を外部に放射させる手段を有し且つ後面側においてアームの動作空間以外の空間にプリント配線板が圧接する圧入部を有するので、操作部がセット解除操作された状態では発光素子が点灯し夜間などの周囲が暗い場合でも操作部の位置を認識することができ、しかも、発光素子が実装されたプリント配線板をアームの動作空間を確保しつつ操作部の後面側に配設することができ、発光素子の位置決めがなされるから、組み立て性が向上する。
【０００９】
しかも、通電手段は、板状の導電性部材を折曲した板ばねよりなり、該板ばねは、プリント配線板に固定されて発光素子に接続される固定端部と、該固定端部と他端部との間に形成され操作部のセット解除操作時に上記端子の一方に接触する通電部とを有し、該通電部は、上記端子の一方に対向する側の面が滑らかな凸の曲面状になるように折曲されているので、操作部のセット解除操作時に板ばねと上記端子の一方との導通を確実に行うことができ、発光素子を確実に点灯させることができる。
【００１０】
さらに、操作部は、上記板ばねの他端部を位置決めする位置決め用リブが形成されているので、板ばねの他端部の位置がずれるのを防止することができ、板ばねの他端部の位置ずれによる端子間の短絡などのトラブルの発生を防止することができる。
また、請求項２の発明は、請求項１の発明において、操作部は、アームを押圧するアーム押圧部が一体的に形成されているので、アーム押圧部の位置精度、強度を高めることができる。
【００１１】
【発明の実施の形態】
（実施形態１）
本実施形態の遅れスイッチのケース１は、図１乃至図４に示すように、合成樹脂製のボディ１０と、合成樹脂製のカバー８０とを一対の略コ字形の組立枠４０にて結合して形成される。
【００１２】
図４に示すように、カバー８０の両端部にはそれぞれ肩部８０ｂが突設され、各肩部８０ｂそれぞれの側面には組立枠４０の脚片４０ｄが嵌め込まれる凹部８０ｃが形成されている。一方、ボディ１０の前端側には、上記凹部８０ｃに対応する部位に、組立枠４０の脚片４０ｄが嵌め込まれる凹部１８が形成されている。したがって、ボディ１０にカバー８０を結合するときには、カバー８０の各肩部８０ｂの前面側からそれぞれ組立枠４０を嵌合し（組立枠４０の脚片４０ｄをカバー８０の凹部８０ｃとボディ１０の凹部１８とに嵌め込み）、この組立枠４０の両脚片４０ｄの先端部に形成された略Ｖ字形の引掛爪４０ａをそれぞれボディ１０の側面に形成された段部１５に係合させることによって、カバー８０とボディ１０とが組立枠４０により固定される。
【００１３】
ここで、ケース１は、埋込型の配線器具用の取付枠に該取付枠の開口窓からケース１の前面が露出する形で最大３個まで連設して取り付けることができるように寸法設定された単位寸法の埋込型の配線器具の１個分に相当する寸法に形成されている。すなわち、ケース１は、例えばＪＩＳ規格で規格化されている大角形連用配線器具の取付枠に最大３個まで取り付けることができる配線器具の１個分の寸法に形成されており、上記取付枠に設けられた取付孔に係合可能な一対の係合爪４０ｂが組立枠４０の両端部から突設されている。また、各組立枠４０には、金属製の取付枠に取り付ける際に取付枠の係止爪が係止される係止孔４０ｃが設けてある。
【００１４】
カバー８０は操作用のハンドル９０の一部がケース１の前面から突出するような形でハンドル９０を収納する開口部８１が形成されており、カバー８０の内側面には、ハンドル９０の両側面に突設された凸部９５が係合される凹部８２が形成されている。したがって、ハンドル９０を開口部８１に収納する時にハンドル９０の両側面の凸部９５をカバー８０の凹部８２にそれぞれ挿入係合することによって、カバー８０の凹部８２がハンドル９０の揺動支点となる。
【００１５】
一方、ハンドル９０の両端部にはそれぞれ鍔部９０ｃが突設され、ハンドル９０の後面の側端部からは、三角形状の一対のガイド片９０ａ（図３（ｂ）及び図４参照）及び半円状の一対のアーム押圧片９０ｂ（図１（ｂ）、図３（ｂ）、図４参照）が突設されている。ここに、一対のアーム押圧片９０ｂそれぞれの先端部は後述の略コ字形のアーム５０の基端部５０ｂの前面側に形成された湾曲部５０ａに係脱するようになっている。また、ハンドル９０の前部には、透明なネームカバー９３が嵌着される。ネームカバー９３とハンドル９０との間にはネームシート９４（図４参照）が挟持される。なお、ハンドル９０は上述の鍔部９０ｃが形成されていることにより、ハンドル９０とカバー８０との間の隙間を隠すことができる。
【００１６】
ハンドル９０の前面には透光窓９１が形成され、透光窓９１には透光性を有する材料により形成された透光部材９２が取り付けられている。なお、ネームシート９４には、ハンドル９０の透光窓９１に対向する部位に孔９４ａを設けてある。
ところで、ハンドル９０の後面側にはコイルスプリング９６の一端側が嵌め込まれる凹部９７が形成されており、コイルスプリング９６の他端側は揺動体７３（図５参照）のばね支持部７５ａ，７５ｂ間で受けられている。揺動体７３はコイルスプリング９６の働きでハンドル９０の傾斜方向と逆方向に傾くようになっていて（図１（ｂ）及び図３（ｂ）参照）、ハンドル９０の揺動終点でコイルスプリング９６が、く字形または逆く字形に屈曲させられ、コイルスプリング９６が真っ直ぐな状態に戻ろうとする復元力によってハンドル９０がその位置で確実に固定されるようになっている。
【００１７】
ボディ１０は、図４に示すように、略中央に遅延素子収納部１２が形成され、遅延素子収納部１２の両側に端子収納部１３，１４が形成されている。遅延素子収納部１２には遅延素子２０が収納され、端子収納部１４には後述の端子６０1 ，６０2 が収納され、端子収納部１３には後述の端子６０3 ，６０4 が収納される。また、ボディ１０の前端面には、上述のアーム５０の基端部５０ｂから突設された回転軸５１1 ，５１2 （図６参照）が軸着される凹状の軸受部５５1 ，５５2 が凹設されており、アーム５０を回動自在としている。
【００１８】
ところで、本実施形態では、アーム５０がＰＯＭ（ポリオキシメチレン）により形成されているので、アーム５０とハンドル９０のアーム押圧片９０ｂ（アーム押圧部）との間、アーム５０とカード２６の被押圧部２６ａとの間の摩擦抵抗を低く抑えることができ、ハンドル９０の操作に必要な荷重を低下することができる。なお、アーム押圧片９０ｂはハンドル９０に一体的に形成されているので、アーム押圧片９０ｂの位置精度、強度を高めることができる。
【００１９】
また、アーム５０の回動軸５１1 ，５１2 を図７に示すように、異なる大きさ（両回転軸５１1 ，５１2 間の中間点を中心として回転軸５１1 ，５１2 同士を非対称な形状）にすれば、アーム５０の回転軸５１1 ，５１2 を軸受部５５1 ，５５2 に挿入する際にアーム５０の挿入方向の間違いをなくすことができる。また、本実施形態では、回転軸５１2 が、図８に示すように、直径方向の一つの直線に直交し且つ中心線を挟む２つの平面によりカットした形状に形成されている。すなわち、図７及び図８中の５１21，５１22が曲面，５１23，５１24が平面となる。したがって、回転軸５１2 が回転する場合には曲面５１21，５１22のみが軸受部５５2 に接触するので、回転軸５１2 にパーティングラインＰＬが形成される場合であっても、該カットされた平面５１23，５１24にパーティングラインＰＬを形成することによって、パーティングラインＰＬがアーム５０の回転運動に与える影響をなくすことができる。なお、回転軸５１1 についても同様である。また、カットする面は２箇所に限定するものではなく、パーティングラインＰＬが軸受部５５1 ，５５2 に接触せずに回転できる形状であればよい。
【００２０】
以下、遅延素子２０について説明する。
遅延素子２０は、図９に示すように、略コ字形のカード２６と、カード２６の移動時にカード２６の両脚片をガイドするガイド溝２１ｂ（図３（ｂ）及び図９に示すリブ２１ａとリブ２１ａ’との間の溝）が形成された枠体２１と、カード２６を前方（図１（ｂ）の上方へ）付勢するコイルスプリングよりなる復帰ばね２７と、シリコンゴムなどのゴムにより形成され弾性的に撓むことができるようになっている吸盤ブロック２３と、吸盤ブロック２３の吸盤２３ｂの吸着面４３（図１（ｂ）参照）が吸着される八角柱状の被吸着体２４と、後述の空気透過部材３２と、後面開口した箱状であって吸盤２３ｂ及び被吸着体２４が収納される素子用ケース２２と、素子用ケース２２の後面に粘着テープなどにより接着される防塵用のフィルタ２５とを備えている。ここに、本実施形態では、素子用ケース２２の後面開口部がフィルタ２５により塞がれるので、素子用ケース２２の後方から素子用ケース２２の内部に塵や埃などの異物が侵入するのを防止することができる。なお、フィルタ２５はフッ素系繊維材料（テフロン繊維材料）により構成されている。ところで、吸盤ブロック２３は、上述の吸盤２３ｂ、吸盤２３ｂと一体に同じ材料により形成された吸盤カバー２３ａなどにより構成されている。
【００２１】
吸盤２３ｂは、空気透過部材３２が内部に圧入される円筒状の空気透過部材圧入部２３ｄが連続一体に形成されている。空気透過部材圧入部２３ｄの先端側には円筒状のシャフト４２が設けられている。シャフト４２の外周にはシャフト４２の軸方向と略平行する一対の棒状のカード保持用ピン４２ｂ（図２及び図９参照）が一体に形成されており、シャフト４２をカード２６に結合するには、シャフト４２を素子用ケース２２の前面に形成された挿通孔２２ｅ（図９参照）に後方から挿通させ、両カード保持用ピン４２ｂそれぞれの先端部をカード２６の基端部２６ｆにおいて後述の接触ばね押圧部２６ｃの両側に形成された挿通孔２６ｄに挿入してレーザなどにより加熱して固着すればよい。なお、吸盤ブロック２３は、吸盤カバー２３ａの前端部に鍔部２３ｃが形成されており、鍔部２３ｃが素子用ケース２２に対して固定される。
【００２２】
本実施形態では、カード２６とシャフト４２と吸盤ブロック２３とが結合されているので、カード２６の移動に応じて吸盤ブロック２３の形状が変化する（図１（ｂ）及び図３（ｂ）参照）。
ところで、カード２６の基端部２６ｆの後部には、カード２６とシャフト４２とを結合した状態で空気透過部材圧入部２３ｄの内部空間２３ｆとカード２６の外部との間の空気の通路を構成する切欠き部よりなる空気取込口２６ｅが形成されている。また、吸盤ブロック２３は、吸盤２３ｂの内周底面に上記内部空間２３ｆと連通する通気孔２３ｇが形成されており、吸盤２３ｂの内部空間と上記空気取込口２６ｅとの間が連通するようになっている。本実施形態では、空気透過部材圧入部２３ｄの内部空間２３ｆに、例えば多孔質セラミック（例えば、多孔質アルミナセラミック）よりなる空気透過部材３２（図１（ｂ）参照）が配設されている。ここに、空気透過部材３２はの形状は円柱状であって、外周をゴムチューブ３３によりシールしたものが上記内部空間２３ｆに圧入されている。
【００２３】
素子用ケース２２の前面には、図９に示すように、上記挿通孔２２ｅの周辺に復帰ばね２７の一端部が嵌め込まれるばね受け溝２２ｂが形成されている。一方、カード２６の基端部２６ｆの後面には略凹形の一対のばね受け溝２６ｂ（図２参照）が形成されていて、復帰ばね２７の他端部を保持するようになっている。ところで、遅延素子２０は、吸盤２３ｂが被吸着体２４に吸着した状態で吸盤２３ｂと被吸着体２４との間に形成される空間に、上記空気取込口２６ｅから上記内部空間２３ｆに入り込む空気が空気透過部材３２を通じて吸盤２３ｂの通気孔２３ｇから入り込むようになっている。したがって、アーム５０の両脚片よりなるカード押圧部５２がカード２６の両脚片よりなる被押圧部２６ａの先端から離れると、吸盤２３ｂの被吸着体２４への吸着力が徐々に弱くなり、この吸着力が復帰ばね２７の復元力よりも弱くなって吸盤２３ｂが被吸着体２４から離れるのである。
【００２４】
すなわち、アーム押圧片９０ｂの先端部がアーム５０の湾曲部５０ａの内周面に沿って湾曲部５０ａから脱するように移動して、アーム５０のカード押圧部５２がカード２６の被押圧部２６ａを離れた時点から所定時間（以下、遅れ時間と称す）遅れてカード２６が前方（図３（ｂ）における上方）へ移動するのである。したがって、上述の空気透過部材３２の空気の透過率や、吸盤２３ｂの材料や、被吸着体２４の材料等を変えることで遅れ時間を調整することができるのである。
【００２５】
なお、本実施形態では、空気透過部材３２を上述のように多孔質セラミックにより構成してあり、空気の透過係数の温度依存や湿度依存が小さいので、使用環境の温度変化や湿度変化による遅れ時間の変動を小さくでき、遅れ時間を高精度にすることができる。
ところで、本実施形態では、吸盤カバー２３ａによって吸盤２３ｂと素子用ケース２２の外側とが仕切られているので、吸盤２３ｂと被吸着体２４との間に塵等の異物が侵入するのを防ぐことができ、吸盤２３ｂと被吸着体２４との吸着状態が安定し、遅れ時間を略一定にすることができる。ここに、吸盤カバー２３ａが防塵手段を構成しており、吸盤２３ｂと吸盤カバー２３ａとを一体形成しているので、低コスト化が可能となる。
【００２６】
枠体２１は、例えば熱硬化性樹脂などにより構成され、両側面それぞれに前端から後端にわたってボディ１０に対する位置決め用突部２１ｃ（図４及び図６参照）が一体に突設されている。一方、ボディ１０は、図４に示すように、遅延素子収納部１２の内側面に、上記位置決め用突部２１ｃをガイドする位置決め溝１６ａが形成されている。
【００２７】
また、枠体２１は、上述のように内側面にカード２６の被押圧部２６ａ（両脚片）をスライド自在にガイドするガイド溝２１ｂが形成されており、遅延素子２０を組み立てた状態ではカード２６の被押圧部２６ａ，２６ａの先端が枠体２１の前面よりも突出するようになっている（図４参照）。また、枠体２１と素子用ケース２２とは、素子用ケース２２の前面の四隅近傍から前方へ突設された突部２２ｃによって位置決めされて固定される。
【００２８】
ボディ１０の端子収納部１４には速結端子よりなる上述の端子６０1 ，６０2 （図４参照）が納装されている。ここに、端子６０1 は、端子板６３ａと鎖錠ばね６１1 とで構成され、鎖錠ばね６１は、端子板６３ａと鎖錠ばね６１1 との間に電線挿入口１７1 （図３（ｃ）参照）に挿入された電線に食い込んで抜け止めをする鎖錠片６１ｂと、電線に弾接する接触片６１ａとを備えている。したがって、電線挿入口１７1 を通して鎖錠ばね６１1 と端子板６３ａとの間に、鎖錠片６１ｂ側から電線を挿入すると、接触片６１ａ及び鎖錠片６１ｂのばね力によって電線が端子板６３ａとの間に挟持され、かつ鎖錠片６１ｂが電線に食い込むことによって電線を引き抜くことができなくなる。同様に端子６０2 は端子板６３ｂと鎖錠ばね６１2 とで構成され、電線挿入口１７2 （図３（ｃ）参照）に挿入された電線が接触片６１ａ及び鎖錠片６１ｂのばね力によって端子板６３ａとの間に挟持される。また、端子収納部１４には、両鎖錠ばね６１1 ，６１2 に跨がるように解除釦６２ａが配設される。解除釦６２ａは両鎖錠ばね６１1 ，６１2 の鎖錠片６１ｂに当接しており、解除釦６２ａが鎖錠片６１ｂに当接する部位は鎖錠片６１ｂ，６１ｂが端子板６３ａ，６３ｂとの間に電線を挟持する部位からずれている。また、解除釦６２ａに対応する部位でボディ１０の後壁には操作孔１９（図３（ｂ），（ｃ）参照）が形成されており、操作孔１９にマイナスドライバの先端などを挿入して解除釦６２ａを押すことにより、電線に食い込んでいる鎖錠片６１ｂ，６１ｂを電線から圧接解除方向に撓ませて電線の引き抜きが可能となるようにしてある。
【００２９】
一方、端子収納部１３には、端子板６３ｃと一対の鎖錠ばね６１3 ，６１4 とで構成される速結端子よりなる一対の端子６０3 ，６０4 （図４参照）が納装されている。ここに、端子６０3 ，６０4 は端子板６３ｃを共通としている。端子６０3 は電線挿入口１７3 （図３（ｃ）参照）に挿入された電線が鎖錠ばね６１3 の接触片６１ａ及び鎖錠片６１ｂのばね力によって端子板６３ｃとの間に挟持され、端子６０4 は電線挿入口１７4 （図３（ｃ）参照）に挿入された電線が鎖錠ばね６１4 の接触片６１ａ及び鎖錠片６１ｂのばね力によって端子板６３ｃとの間に挟持される。また、端子収納部１３には、端子収納部１４と同様に両鎖錠ばね６１3 ，６１4 に跨がるように解除釦６２ｂが配設され、ボディ１０の後壁には操作孔１９（図３（ｂ），（ｃ）参照）が形成されている。
【００３０】
本実施形態では、端子収納部１４と端子収納部１３とがケース１の両端部側に離間して設けられているので、端子６０1 ，６０2 と端子６０3 ，６０4 との間の絶縁性を高めることができる。
上述の端子板６３ａ，６３ｂは、それぞれ別の固定接点６４ａ，６４ｂを有し、ケース１内において異なるスイッチ機構を形成している。なお、端子板６３ｃに結合される短冊状の接触ばね７０は、遅延素子２０がない状態では可動接点７２が端子板６３ａの固定接点６４ａに接触し所定の接点圧が得られるように付勢されている。
【００３１】
ただし、接触ばね７０は、遅延素子２０のカード２６の接触ばね押圧部２６ｃの前方を通るように端子板６３ｃから延出されているので、接触ばね７０が接触ばね押圧部２６ｃにより前方に押し上げられた状態では、可動接点７２が端子板６３ａの固定接点６４ａから離れるようになっている。ここで、接触ばね７０、可動接点７２、固定接点６４ａで１つのスイッチ機構（遅れスイッチ機構）を構成している。
【００３２】
また、端子板６３ｃの前端部からはリード板６５が一体に延出されており、リード板６５の先端に形成された凸状部６６の両側部の立ち上がり部６６ａに揺動体７３の切欠き７３ａ（図５参照）が係合し、この凸状部６６を支点として、揺動体７３が揺動自在となっている。一方、揺動体７３には、可動接点７４が固着される折曲片７３ｂが一体に折曲形成されており、ハンドル９０の操作に応じて、揺動体７３先端の後面に形成された可動接点７４と端子板６３ｂの固定接点６４ｂとが接離するようになっている。なお、上述の一対のばね支持部７５ａ，７５ｂは、ばね支持部７５ａの長さをばね支持部７５ｂよりも長くすることにより、ばね支持部７５ａ側の折曲片７３ｂに設けられた可動接点７４と固定接点６４ｂとの接点圧を向上させている。リード板６５は枠体２１の前部に形成された一対の支持片２１ｅ（図４参照）から突設された柱状の端子仮保持用リブ２１ｇにより仮保持される。
【００３３】
端子板６３ａは、固定接点６４ａが設けられた部位の一部が枠体２１に形成された切欠部２１ｆ（図９参照）により支持されて位置決めなされ、接触ばね７０は、枠体２１の前部に形成された一対の支持片２１ｅの間の空間で可動して可動接点７２が固定接点６４ａと接離するようになっている。
なお、ハンドル９０の後部にはネオンランプなどの発光素子７７が実装されたプリント配線板７６が配設され、発光素子７７の一方のリードはプリント配線板７６の導電パターン及びリード線（図示せず）を介して抵抗７９の一方のリードに接続されている。抵抗７９の他方のリードは端子板６３ｃにリード線（図示せず）により接続されている。また、発光素子７７の他方のリードは、図４及び図１０及び図１１に示す略Ｓ字形の板ばね７８に電気的に接続される。ここに、板ばね７８は導電性部材を折曲して形成されており、一端部７８ａ（固定端部）がプリント配線板７６の接続孔７６ａに挿通されプリント配線板７６の導電パターンを介して発光素子７７の上記他方のリードに接続されている。すなわち、板ばね７８と発光素子７７と抵抗７９と端子板６３ｃとが直列接続されている。ところで、板ばね７８は上記一端部７８ａ（固定端部）と他端部７８ｂとの間に操作部たるハンドル９０の操作に応じて端子板６３ａに接離する接触部７８ｃ（通電部）を有し、該接触部７８ｃは遅れスイッチのオフ状態（図１参照）では端子板６３ａに接触し、遅れスイッチのオン状態（図３参照）では端子板６３ａから離れている。ここに、接触部７８ｃは、端子板６３ａに対向する側の面が滑らかな凸の曲面状になうように折曲されているので、ハンドル９０がオフ操作（セット解除操作）されたときに板ばね７８と端子板６３ａとの導通を確実に行うことができる。なお、ハンドル９０の後面側には、図１２に示すように板ばね７８の上記他端部７８ｂの位置決めをする一対の位置決め用リブ９８が突設されているので、板ばね７８の上記他端部７８ｂの位置ずれを防止でき、板ばね７８の上記他端部７８ｂの位置ずれによる端子板６３ａ，６３ｃ間の短絡などのトラブルの発生を防ぐことができる。本実施形態では、板ばね７８が通電手段を構成している。
【００３４】
また、発光素子７７は、ハンドル９０の後面側に結合されるプリント配線板７６に実装されてハンドル９０の透光窓９１に対向する位置に配設されているので、透光部材９２を通じて外部へ光が照射されるようになっている。したがって、本実施形態の遅れスイッチのオフ状態では、夜などの周囲が暗い場合であっても、発光素子７７の光によってケース１の位置を確認できるようになっている。なお、ハンドル９０は、後面側において、上述のアーム５０の動作空間以外の空間に、プリント配線板７６が圧接する圧入部９０ｄを有している。
【００３５】
次に、本実施形態の遅れスイッチの動作を説明する。
図１及び図２は本実施形態の遅れスイッチのオフ状態を示し、この状態で操作部たるハンドル９０をオン操作（セット操作）すると、ハンドル９０のアーム押圧片９０ｂが回動し、アーム押圧片９０ｂの先端部がアーム５０の湾曲部５０ａに沿って移動する。しかして、ハンドル９０をオン操作すると、コイルスプリング９６が逆方向に傾くことによって図３に示すように揺動体７３に設けられた可動接点７４が端子板６３ｂの固定接点６４ｂと接触してこの電路がオン状態になるとともに、アーム押圧片９０ｂが回動することによってアーム５０が回動してアーム５０の先端のカード押圧部５２がカード部２６の被押圧部２６ａを押し、復帰ばね２７の付勢力に抗してカード２６が移動し（図１（ｂ）における下方へ押し下げられ）、接触ばね７０の可動接点７２が端子板６３ａの固定接点６４ａに接触してこの電路がオン状態になるのである。また、カード２６が移動することにより、吸盤２３ｂが被吸着体２４に接する位置まで押し下げられて吸盤２３ｂが被吸着体２４に吸着し、カード２６が押し下げられている状態では、吸盤２３ｂが被吸着体２４に吸着保持される。
【００３６】
一方、図３は本実施形態の遅れスイッチのオン状態を示し、この状態でハンドル９０をオフ操作（セット解除操作）すると、アーム押圧片９０ｂの先端部がアーム５０の湾曲部５０ａに沿って湾曲部５０ａから脱するように移動することによりアーム５０が回動し、アーム５０のカード押圧部５２がカード２６の被押圧部２６ａから離れるように移動する。しかして、ハンドル９０をオフ操作すると、コイルスプリング９６が逆方向に傾くことによって図１に示すように揺動体７３に設けられた可動接点７４が端子板６３ｂの固定接点６４ｂから開離して、上述の遅れ時間が経過すると、復帰ばね２７の復元力によってカード２６が前方へ移動し接触ばね押圧部２６ｃが接触ばね７０を前方へ押すので、可動接点７２が固定接点６４ａから開離されこの電路（スイッチ機構）もオフ状態になる。
【００３７】
しかして、本実施形態の遅れスイッチでは、ハンドル９０によるセット解除操作時には、吸盤２３ｂの被吸着体２４への吸着力と復帰ばね２７のばね力とのバランスにより吸盤２３ｂが被吸着体２４から離れるまでに遅れ時間があるので、従来のようなギアが不要となり、従来の遅延ユニットを有する遅れスイッチに比べて構成が簡単で信頼性が高く、低コスト化が図れるとともに、騒音が小さくなる。本実施形態の遅れスイッチを例えばトイレの換気扇及び照明負荷の操作に用いる場合、端子６０3 と端子６０4 とは共通の端子板６３ｃを有しているので、端子６０2 に照明負荷を接続し、端子６０1 に換気扇を接続すればよい。この場合、ハンドル９０をオン操作（セット操作）すると、照明負荷が点灯するとともに換気扇が運転され、ハンドル９０をオフ操作（セット解除操作）すると、照明負荷だけ直ちに消灯され、遅れ時間の経過後に換気扇が停止される。したがって、換気扇を直ちに止めたときに生じる不便をなくし、しかも換気扇の消し忘れを防止することができる。なお、この遅れスイッチは、トイレ以外の種々の場所での使用も可能である。また、遅れ時間は、使用環境や使用目的に合わせて適宜設定すればよい。
【００３８】
（実施形態２）
図１３乃至図１６に示す本実施形態の遅れスイッチの基本構成及び基本動作は実施形態１と略同じであり、スイッチ機構を遅延素子２０に関係する１つだけにした点が相違する。つまり、本実施形態では、実施形態１で説明した端子板６３ｂ及び固定接点６４ｂを備えていない点と、端子板６３ａの形状及び揺動体７３の形状が実施形態１と相違する。なお、実施形態１と同様の構成要素には同一の符号を付し説明を省略する。
【００３９】
本実施形態の遅れスイッチにおける揺動体７３は、図１７に示すような略コ字形の形状であって、実施形態１のような折曲片７３ｂ（図５参照）がなく可動接点７４は備えていない。なお、図１８はカバー８０を取り外した状態の平面図である。
次に、本実施形態の遅れスイッチの動作を説明する。
【００４０】
図１３及び図１４は本実施形態の遅れスイッチのオフ状態を示し、この状態で操作部たるハンドル９０をオン操作（セット操作）すると、ハンドル９０のアーム押圧片９０ｂが回動し、アーム押圧片９０ｂの先端部がアーム５０の湾曲部５０ａに沿って移動する。しかして、ハンドル９０をオン操作すると、コイルスプリング９６が逆方向に傾くことによってアーム押圧片９０ｂによりアーム５０が回動してアーム５０の先端のカード押圧部５２がカード部２６の被押圧部２６ａを押し、復帰ばね２７の付勢力に抗してカード２６が移動し（図１３（ｂ）における下方へ押し下げられ）、接触ばね７０の可動接点７２が端子板６３ａの固定接点６４ａに接触してこの電路がオン状態になるのである。また、カード２６が移動することにより、吸盤２３ｂが被吸着体２４に接する位置まで押し下げられて吸盤２３ｂが被吸着体２４に吸着し、カード２６が押し下げられている状態では、吸盤２３ｂが被吸着体２４に吸着保持される。
【００４１】
一方、図１５は本実施形態の遅れスイッチのオン状態を示し、この状態でハンドル９０をオフ操作（セット解除操作）すると、アーム押圧片９０ｂの先端部がアーム５０の湾曲部５０ａに沿って湾曲部５０ａから脱するように移動することによりアーム５０が回動し、アーム５０のカード押圧部５２がカード２６の被押圧部２６ａから離れるように移動する。しかして、ハンドル９０をオフ操作すると、コイルスプリング９６が逆方向に傾き、上述の遅れ時間が経過すると、復帰ばね２７の復元力によってカード２６が前方へ移動し接触ばね押圧部２６ｃが接触ばね７０を前方へ押すので、可動接点７２が固定接点６４ａから開離されこの電路（スイッチ機構）がオフ状態になる。
【００４２】
本実施形態の遅れスイッチを例えば玄関などにおける照明負荷の操作に用いる場合には、端子６０1 と端子６０3 （又は端子６０4 ）との間に照明負荷を接続すればよい。この場合、ハンドル９０をオン操作（セット操作）すると、照明負荷が点灯し、ハンドル９０をオフ操作（セット解除操作）すると、遅れ時間の経過後に照明負荷が消灯される。したがって、例えば外出時や帰宅時に照明負荷を点灯させた後にハンドル９０をオフ操作した場合、照明負荷が消灯されるまでに遅れ時間があるので、人が玄関から離れる前に照明負荷が消灯されてしまうような不都合をなくすことができる。
【００４３】
【発明の効果】
請求項１の発明は、操作部と、操作部のセット操作に連動して移動する吸盤と、該吸盤と共動してスイッチ機構を開閉するカードと、該移動した吸盤を吸着保持する被吸着体と、吸盤が被吸着体から離れる方向に吸盤を付勢する復帰ばねと、スイッチ機構が電気的に接続される端子と、操作部のセット動作に連動して回動しカードを移動させるアームとを備え、操作部によるセット解除操作時には、吸盤の被吸着体への吸着力と復帰ばねのばね力とのバランスにより吸盤が被吸着体から離れるまでに遅れ時間があるので、セット操作による力をアームを介してカードに伝達でき、カードを安定して駆動することができ、しかも、吸盤の被吸着体への吸着力と復帰ばねのばね力とのバランスにより遅れ時間が決まるから、従来のようなギアが不要となり、従来の遅延ユニットを有する遅れスイッチに比べて構成が簡単で信頼性が高く、低コスト化が図れるとともに、騒音が小さくなるという効果がある。また、従来のようなギアが必要ないので、操作部の操作がスムーズになるという効果がある。
【００４６】
また、請求項１の発明は、操作部のセット解除操作時に上記一対の端子間に通電手段を介して接続される発光素子と、発光素子が実装されるプリント配線板とを備え、操作部は、発光素子の光を外部に放射させる手段を有し且つ後面側においてアームの動作空間以外の空間にプリント配線板が圧接する圧入部を有するので、操作部がセット解除操作された状態では発光素子が点灯し夜間などの周囲が暗い場合でも操作部の位置を認識することができ、しかも、発光素子が実装されたプリント配線板をアームの動作空間を確保しつつ操作部の後面側に配設することができ、発光素子の位置決めがなされるから、組み立て性が向上するという効果がある。
【００４７】
しかも、通電手段は、板状の導電性部材を折曲した板ばねよりなり、該板ばねは、プリント配線板に固定されて発光素子に接続される固定端部と、該固定端部と他端部との間に形成され操作部のセット解除操作時に上記端子の一方に接触する通電部とを有し、該通電部は、上記端子の一方に対向する側の面が滑らかな凸の曲面状になるように折曲されているので、操作部のセット解除操作時に板ばねと上記端子の一方との導通を確実に行うことができ、発光素子を確実に点灯させることができるという効果がある。
【００４８】
さらに、操作部は、上記板ばねの他端部を位置決めする位置決め用リブが形成されているので、板ばねの他端部の位置がずれるのを防止することができ、板ばねの他端部の位置ずれによる端子間の短絡などのトラブルの発生を防止することができるという効果がある。
また、請求項２の発明は、請求項１の発明において、操作部は、アームを押圧するアーム押圧部が一体的に形成されているので、アーム押圧部の位置精度、強度を高めることができるという効果がある。
【図面の簡単な説明】
【図１】実施形態１を示し、（ａ）はオフ状態の平面図、（ｂ）はオフ状態の断面図である。
【図２】同上を示し、オフ状態の側断面図である。
【図３】同上を示し、（ａ）はオン状態の平面図、（ｂ）はオン状態の断面図、（ｃ）は背面図である。
【図４】同上の分解斜視図である。
【図５】同上に用いる揺動体の斜視図である。
【図６】同上を示し、カバーを取り外した状態の平面図である。
【図７】同上に用いるアームを示し、（ａ）は平面図、（ｂ）は正面図、（ｄ）は側面図である。
【図８】図７（ｂ）の要部拡大図である。
【図９】同上に用いる遅延素子の分解斜視図である。
【図１０】同上の要部斜視図である。
【図１１】同上の要部の概略構成図である。
【図１２】同上の要部の概略背面図である。
【図１３】実施形態２を示し、（ａ）はオフ状態の平面図、（ｂ）はオフ状態の断面図である。
【図１４】同上を示し、オフ状態の側断面図である。
【図１５】同上を示し、（ａ）はオン状態の平面図、（ｂ）はオン状態の断面図、（ｃ）は背面図である。
【図１６】同上の分解斜視図である。
【図１７】同上に用いる揺動体の斜視図である。
【図１８】同上を示し、カバーを取り外した状態の平面図である。
【符号の説明】
１  ケース
２３ｂ  吸盤
２３ｄ  空気透過部材圧入部
２４  被吸着体
２６  カード
２６ｃ  接触ばね押圧部
２６ｅ  空気取込口
２７  復帰ばね
３２  空気透過部材
５０  アーム
５０ａ  湾曲部
６３ａ  端子板
６４ａ  固定接点
６３ｃ  端子板
７０  接触ばね
７２  可動接点
９０  ハンドル
【図１】
0003671632.tif 000002
【図２】
0003671632.tif 000003
【図３】
0003671632.tif 000004
【図４】
0003671632.tif 000005
【図５】
0003671632.tif 000006
【図６】
0003671632.tif 000007
【図７】
0003671632.tif 000008
【図８】
0003671632.tif 000009
【図９】
0003671632.tif 000010
【図１０】
0003671632.tif 000011
【図１１】
0003671632.tif 000012
【図１２】
0003671632.tif 000013
【図１３】
0003671632.tif 000014
【図１４】
0003671632.tif 000015
【図１５】
0003671632.tif 000016
【図１６】
0003671632.tif 000017
【図１７】
0003671632.tif 000018
【図１８】
0003671632.tif 000019